(57)【要約】【課題】撮影後の動作に伴う音を、撮影者に負担をかけることなしに目立たなくすることができる撮像装置を提供する。【解決手段】本発明に係わる撮像装置は、入射した被写体光による像を撮像する撮像手段と、撮像手段による撮像時に、被写体光を撮像手段に導くための可動部材を駆動する可動部材駆動手段と、周囲の音を検知する音検知手段と、撮像手段による撮影後に、音検知手段で検知された音のレベルが閾値に達しない場合は、可動部材駆動手段の動作を停止させる制御手段とを備える。【選択図】図１
2010197506.tif 000002
【特許請求の範囲】
【請求項１】
入射した被写体光による像を撮像する撮像手段と、
前記撮像手段による撮像の際に、被写体光を前記撮像手段に導くための可動部材を駆動する可動部材駆動手段と、
周囲の音を検知する音検知手段と、
前記撮像手段による撮像後に、前記音検知手段で検知された音のレベルが閾値に達しない場合は、前記可動部材駆動手段の動作を停止させる制御手段と、
を備えることを特徴とする撮像装置。
【請求項２】
請求項１に記載の撮像装置であって、
前記制御手段は、
前記音検知手段で検知された音のレベルが閾値に達している場合は、当該音のレベルに応じて、前記可動部材駆動手段の動作を開始するまでの待機時間を設定すること、
を特徴とする撮像装置。
【請求項３】
請求項２に記載の撮像装置であって、
ユーザによる操作入力を取得する操作入力手段を備え、
前記制御手段は、
前記操作入力手段において時間設定の操作入力を取得したときは、当該時間設定された時間を前記待機時間として設定すること、
を特徴とする撮像装置。
【請求項４】
請求項３に記載の撮像装置であって、
前記制御手段は、
前記可動部材駆動手段の動作を停止している間、前記操作入力手段において解除指示の操作入力を取得したときは、前記可動部材駆動手段の動作を開始すること、
を特徴とする撮像装置。
【請求項５】
請求項１〜４のいずれか一項に記載の撮像装置であって、
文字情報を表示可能な表示手段を備え、
前記制御手段は、
前記可動部材駆動手段の動作を停止させていることを知らせる文字情報を前記表示手段に表示させること、
を特徴とする撮像装置。
【請求項６】
入射した被写体光による像を撮像する撮像手段と、
前記撮像手段による撮像時に、被写体光を前記撮像手段に導くための可動部材を駆動する可動部材駆動手段と、
時間を計測する時間計測手段と、
前記撮像手段による撮像後に前記時間計測手段による時間の計測を開始し、当該時間が待機時間に達するまで、前記可動部材駆動手段の動作を停止させる制御手段と、
を備えることを特徴とする撮像装置。
【請求項７】
請求項６に記載の撮像装置であって、
文字情報を表示可能な表示手段を備え、
前記撮像手段による撮像後に、前記時間計測手段で計測されている時間を前記表示手段に文字情報として表示させること、
を特徴とする撮像装置。
【請求項８】
請求項６に記載の撮像装置であって、
ユーザによる操作入力を取得する操作入力手段を備え、
前記制御手段は、
前記操作入力手段において時間設定の操作入力を取得したときは、当該時間設定された時間を前記待機時間として設定すること、
を特徴とする撮像装置。
【請求項９】
請求項８に記載の撮像装置であって、
前記制御手段は、
前記操作入力手段において時間再設定の操作入力を取得したときには、前記時間計測手段での時間計測をリセットしたうえで再び時間計測を開始すること、
を特徴とする撮像装置。
【請求項１０】
請求項８又は９に記載の撮像装置であって、
前記制御手段は、
前記操作入力手段において解除指示の操作入力を取得したときには、前記可動部材駆動手段の動作を開始すること、
を特徴とする撮像装置。
【請求項１１】
請求項１〜１０に記載の撮像装置であって、
前記可動部材駆動手段は、
前記撮像手段による撮像の際に、回動ミラーを使用位置から退避位置に回動させることにより、被写体光を前記撮像手段に導き、撮影後に、前記回動ミラーを退避位置から使用位置に回動させることにより、前記撮像手段に対し被写体光を遮光する回動ミラー駆動手段であること、
を特徴とする撮像装置。
【請求項１２】
請求項１１に記載の撮像装置であって、
前記可動部材駆動手段として、
前記撮像手段による撮像時に、シャッタ部材を開閉することにより、被写体光を前記撮像手段に導くシャッタユニットを更に含むこと、
を特徴とする撮像装置。
【発明の詳細な説明】
【技術分野】
【０００１】
本発明は、撮像装置に関するものである。
【背景技術】
【０００２】
一眼レフカメラでは、カメラの作動に伴って音と振動が発生するため、静かな室内などでは、カメラから発生する音に撮影者が神経を使うことも少なくない。
【０００３】
そこで、音の発生を目立たなくするための様々な対策が考えられている。例えば、周囲の音圧に応じてフィルムの自動巻き戻しを行うか否かを自動選択するようにしたカメラが提案されている（特許文献１参照）。また、周囲の音圧に応じてフィルムの巻き上げや巻き戻しの動作モード（静音、通常）を選択するようにしたカメラが提案されている（特許文献２参照）。更に、周囲の音圧に応じてズーム操作時の動作モード（静音、通常）を選択するようにした撮像装置が提案されている（特許文献３参照）。
【先行技術文献】
【特許文献】
【０００４】
【特許文献１】特開平６−１２３９１３号公報
【特許文献２】特開平８−２１１４６１号公報
【特許文献３】特開２００５−１７６０１５号公報
【発明の概要】
【発明が解決しようとする課題】
【０００５】
ところで、カメラから発生する音には、上記のようなフィルムの巻き上げや巻き戻し、或いはズーム作動音以外にも、撮影時に発生するクイックリターンミラーの上昇下降音やシャッタの音などがある。これらの音は、一眼レフカメラであれば、撮像媒体がフィルム、撮像素子（デジタル）のいずれであっても、またズームレンズが装着されていなくても発生するものである。このような動作音を低減するため、撮影後のミラーダウンやシャッタチャージを撮影者がレリーズボタンから指を離すまで行わず、撮影者がレリーズボタンから指を離した時点で行うようにしたカメラも登場している。このカメラでは、撮影後に撮影者がカメラを衣服で覆ったり、場所を移動した後にレリーズボタンから指を離したりすることにより、周囲に気を使うことなくミラーダウンやシャッタチャージを行うことができる。
【０００６】
しかしながら、撮影者は音を出してもよい状態になるまでレリーズボタンを押し続けなければならないため、撮影後もカメラの操作に集中しなければならず、撮影者にとって大きな負担となることが考えられる。また、うっかりレリーズボタンから指を離してしまい、不用意に音を発生させてしまう可能性もあるなど、改良の余地を残すものであった。
【０００７】
本発明の課題は、撮影後の動作に伴う音を、撮影者に負担をかけることなしに目立たなくすることができる撮像装置を提供することにある。
【課題を解決するための手段】
【０００８】
本発明は、以下のような解決手段により前記課題を解決する。
請求項１に記載の発明は、入射した被写体光による像を撮像する撮像手段と、前記撮像手段による撮像の際に、被写体光を前記撮像手段に導くための可動部材を駆動する可動部材駆動手段と、周囲の音を検知する音検知手段と、前記撮像手段による撮像後に、前記音検知手段で検知された音のレベルが閾値に達しない場合は、前記可動部材駆動手段の動作を停止させる制御手段とを備えることを特徴とする撮像装置である。
請求項２に記載の発明は、請求項１に記載の撮像装置であって、前記制御手段は、前記音検知手段で検知された音のレベルが閾値に達している場合は、当該音のレベルに応じて、前記可動部材駆動手段の動作を開始するまでの待機時間を設定することを特徴とする。
請求項３に記載の発明は、請求項２に記載の撮像装置であって、ユーザによる操作入力を取得する操作入力手段を備え、前記制御手段は、前記操作入力手段において時間設定の操作入力を取得したときは、当該時間設定された時間を前記待機時間として設定することを特徴とする。
請求項４に記載の発明は、請求項３に記載の撮像装置であって、前記制御手段は、前記可動部材駆動手段の動作を停止している間、前記操作入力手段において解除指示の操作入力を取得したときは、前記可動部材駆動手段の動作を開始することを特徴とする。
請求項５に記載の発明は、請求項１〜４のいずれか一項に記載の撮像装置であって、文字情報を表示可能な表示手段を備え、前記制御手段は、前記可動部材駆動手段の動作を停止させていることを知らせる文字情報を前記表示手段に表示させることを特徴とする。
請求項６に記載の発明は、入射した被写体光による像を撮像する撮像手段と、前記撮像手段による撮像時に、被写体光を前記撮像手段に導くための可動部材を駆動する可動部材駆動手段と、時間を計測する時間計測手段と、前記撮像手段による撮像後に前記時間計測手段による時間の計測を開始し、当該時間が待機時間に達するまで、前記可動部材駆動手段の動作を停止させる制御手段とを備えることを特徴とする。
請求項７に記載の発明は、請求項６に記載の撮像装置であって、文字情報を表示可能な表示手段を備え、前記撮像手段による撮像後に、前記時間計測手段で計測されている時間を前記表示手段に文字情報として表示させることを特徴とする。
請求項８に記載の発明は、請求項６に記載の撮像装置において、ユーザによる操作入力を取得する操作入力手段を備え、前記制御手段は、前記操作入力手段において時間設定の操作入力を取得したときは、当該時間設定された時間を前記待機時間として設定することを特徴とする。
請求項９に記載の発明は、請求項８に記載の撮像装置であって、前記制御手段は、前記操作入力手段において時間再設定の操作入力を取得したときには、前記時間計測手段での時間計測をリセットしたうえで再び時間計測を開始することを特徴とする。
請求項１０に記載の発明は、請求項８又は９に記載の撮像装置であって、前記制御手段は、前記操作入力手段において解除指示の操作入力を取得したときには、前記可動部材駆動手段の動作を開始することを特徴とする。
請求項１１に記載の発明は、請求項１〜１０に記載の撮像装置であって、前記可動部材駆動手段は、前記撮像手段による撮像時に、回動ミラーを使用位置から退避位置に回動させることにより、被写体光を前記撮像手段に導き、撮影後に、前記回動ミラーを退避位置から使用位置に回動させることにより、前記撮像手段に対し被写体光を遮光する回動ミラー駆動手段であることを特徴とする。
請求項１２に記載の発明は、請求項１１に記載の撮像装置であって、前記可動部材駆動手段として、前記撮像手段による撮像時に、シャッタ部材を開閉することにより、被写体光を前記撮像手段に導くシャッタユニットを更に含むことを特徴とする。
【発明の効果】
【０００９】
本発明によれば、撮影後の動作に伴う音を、撮影者に負担をかけることなしに目立たなくすることができる撮像装置を提供することができる。
【図面の簡単な説明】
【００１０】
【図１】第１実施形態に係わるカメラの主要部分の構成を示す断面図である。
【図２】図１においてミラーダウンしたときの構成を示す断面図である。
【図３】カメラ本体の電気的な構成を示すブロック図である。
【図４】音圧のレベルと待機時間との関係を示す説明図である。
【図５】第１実施形態のカメラを背面側から見たときの斜視図である。
【図６】第１実施形態のカメラにおいて静音モードが設定されたときの撮像から記録までの一連の処理手順を示すフローチャートである。
【図７】第２実施形態のカメラにおいて静音モードが設定されたときの撮像から記録までの一連の処理手順を示すフローチャートである。
【発明を実施するための形態】
【００１１】
以下、図面を参照して、本発明に係わる撮像装置をデジタル一眼レフカメラに適用した実施形態について説明する。
（第１実施形態）
【００１２】
図１は、第１実施形態に係わるカメラ１の主要部分の構成を示す断面図である。本実施形態のカメラ１はデジタル一眼レフカメラであり、カメラ本体２と、カメラ本体２に対して着脱自在に装着されるレンズ鏡筒３とを備えている。
【００１３】
レンズ鏡筒３は、被写体光が入射する複数の撮影レンズ４、不図示の焦点調節機構、絞りユニット５などが設けられている。撮影レンズ４は、入射した被写体光を屈折させてカメラ本体２側に出射する光学部材である。焦点調節機構は、撮影レンズ４の一部を光軸Ａ方向に移動して焦点調節を行うものである。絞りユニット５は、撮影レンズ４を通過する被写体光の光量を調節するものであり、不図示の複数の絞り羽根と絞り羽根駆動機構を備えている。レンズ鏡筒３がカメラ本体２に装着されると、絞り羽根駆動機構の絞込みレバーと、カメラ本体２側の不図示の絞り制御レバーとが係合するように構成されている。そして、露出値により設定された絞り値に基づいて絞り制御レバーが作動すると、レンズ鏡筒３側の絞込みレバーが連動し、所定の絞り値まで絞り羽根が駆動される。なお、絞り羽根の駆動はレンズ鏡筒３内に設けたレンズＣＰＵで行うようにしてもよい。この場合は、カメラＣＰＵ４０から出力された駆動信号を、レンズ鏡筒３とカメラ本体２の不図示の各マウント部に設けられた電気接点を介してレンズＣＰＵへ伝達することになる。
【００１４】
カメラ本体２は、ミラーユニット１０、ファインダ光学部２０、測光部３０、シャッタユニット６、撮像部７、液晶モニタ８などを備えている。以下、各部について説明する。
【００１５】
シャッタユニット６は、ミラーユニット１０の後方に配置されており、後述するメインミラー１１及びサブミラー１２がミラーアップして撮影可能状態となったときに、所定量の被写体光を撮像部７に入射させる部分である。シャッタユニット６は、フォーカルプレーンシャッタとして構成された不図示のシャッタ羽根と、このシャッタ羽根を駆動する不図示のシャッタ駆動機構とを備えている。シャッタ羽根は、先幕と呼ばれる先に走行するシャッタ羽根と、後幕と呼ばれる後から走行するシャッタ羽根とで構成されている。本実施形態におけるミラーユニット１０は、撮像部７による撮像時に、被写体光を撮像部７に導くための可動部材であるシャッタ羽根を駆動する可動部材駆動手段として機能する。
【００１６】
シャッタユニット６は、レリーズボタンの操作などによる撮影指示が入力されると、まず先幕のシャッタ羽根が画面を開くように走行し、その後、所定時間遅れて後幕のシャッタ羽根が画面を覆うように走行する。このように、先幕と後幕とが所定の時間差を維持したまま画面を横切るように走行することで露光が行われる。この先幕と後幕との時間差が露出時間となる。後幕のシャッタ羽根が画面をすべて覆う（閉じる）ことにより露光が完了し、その後、駆動力を蓄えるためのシャッタチャージが行われる。上記シャッタ駆動機構は、シャッタチャージにより蓄積した駆動力を用いてシャッタ羽根を開閉させる部分である。シャッタ駆動機構の動作は、後述するシーケンス制御部２７を介してカメラＣＰＵ４０により制御されている。
【００１７】
撮像部７は、撮影レンズ４により形成された被写体像を撮像する撮像手段であり、被写体光による像を露光して電気的な画像信号に変換する。この撮像部７は、不図示のフォトダイオード及びＣＣＤ又はＣＭＯＳなどで構成されている。また、撮像部７で変換された画像信号は、不図示の画像処理部へ出力される。画像処理部では画像信号に対し、ノイズ除去、Ａ／Ｄ変換、色補正処理、サイズ変更、符号化などの、アナログ及びデジタルの処理を行い、最終的な画像データを作成する。この画像データは後述するメモリ１６に一時的に記憶される。なお、先に説明したように、本実施形態はデジタル一眼レフカメラについて説明しているが、撮像媒体はフィルムであってもよい。その場合はパトローネから引き出されたフィルム面が撮像素子に相当する。
【００１８】
液晶モニタ８は、カメラ本体２の背面に設けられ、撮像部７で撮影された画像（再生画像）、ライブビュー画像を含む動画のほか、メニュー画面やモード設定画面などの操作に関連した情報画面が表示される。また、後述するように、ミラーユニット１０及びシャッタユニット６の動作を停止したときは、撮影者に停止中であることを知らせるメッセージが表示される。
【００１９】
ミラーユニット１０は、メインミラー１１及びサブミラー１２を備えている。ミラーユニット１０は撮影レンズ４からの光が入射する位置に設けられ、ファインダ光学部２０、又はシャッタユニット６及び撮像部７のいずれかに被写体光を入射させる。本実施形態におけるミラーユニット１０は、撮像部７による撮像時に、被写体光を撮像部７に導くための可動部材であるメインミラー１１を駆動する可動部材駆動手段として機能する。
【００２０】
メインミラー１１は、被写体光をファインダ光学部２０に反射させるものであり、反射材として、中央部には光の一部を透過させる特性を有する半透過ミラーが用いられている。したがって、メインミラー１１は、被写体光をファインダ光学部２０に反射させるとともに、被写体光の一部を透過させてサブミラー１２に被写体光を入射させている。また、メインミラー１１は、端部に不図示のミラー駆動部と連結されている。このミラー駆動部は、メインミラー１１及びサブミラー１２を定位置（使用位置）から退避位置に回動させる駆動機構である。
【００２１】
サブミラー１２は、メインミラー１１を透過した被写体光の一部を、ミラー１３とともに測距センサ９に反射させる反射ミラーである。サブミラー１２はメインミラー１１に対して回動可能に取り付けられており、その回動によりメインミラー１１に折り畳まれた状態及びメインミラー１１の裏側で起立した状態となる。
【００２２】
測距センサ９は、サブミラー１２及びミラー１３の近辺に配置されている。この測距センサ９は、画面内に設定された所定の測距エリアにおいて被写体像のデフォーカス量を検出するものである。この測距センサ９で検出されたデフォーカス量に基づいて自動焦点調節が行われる。
【００２３】
メインミラー１１及びサブミラー１２は、静止画撮影時には、図１に示す定位置に固定されて、被写体光をファインダ光学部２０及び測距センサ９へそれぞれ反射する。このファインダ光学部２０への反射により、撮影者は被写体像をファインダ２４で観察することができる。そして、撮影のために不図示のレリーズボタンが全押しされたときには、図１と同一構成の断面図である図２に示すように、メインミラー１１が上方に回動してファインダ光学部２０へ退避し、それと同時にサブミラー１２が回動してメインミラー１１に重なるように折り畳まれた状態となる（ミラーアップ）。これにより、被写体光がミラーユニット１０の後側に配置されているシャッタユニット６及び撮像部７に入射されて撮影が可能となる。
【００２４】
ファインダ光学部２０は、ファインダスクリーン２１、ペンタプリズム２２及び接眼レンズ２３を備えている。ファインダスクリーン２１は、ミラーユニット１０の上方に配置されており、ミラーユニット１０で反射された被写体光がファインダスクリーン２１に投影されて被写体像が形成される。ファインダスクリーン２１上の被写体像は、ペンタプリズム２２によって接眼レンズ２３に導かれ、接眼レンズ２３からファインダ２４に導かれる。これにより、撮影者はファインダ２４を覗いて被写体像を観察することができる。ファインダ２４は接眼レンズ２３の後方側に配置されている。また、ファインダスクリーン２１は、投影像からの光の一部を分岐させ、この分岐光をペンタプリズム２２を介して測光部３０へ導いている。
【００２５】
測光部３０は、プリズム３１やレンズ３２などの光学系と測光センサ３３とを備えている。測光部３０はペンタプリズム２２からの分岐光を測光センサ３３に入射させるものである。測光センサ３３は、入射した分岐光に基づいて被写体光の明るさ（輝度）を検出して測光値を得る測光手段として機能する。
【００２６】
また、カメラ本体２の前面には、動画撮影時に音声を集音するマイク１４が設けられている。このマイク１４は、例えばコンデンサマイクロフォンにより構成される。また、マイク１４は、後述する静音モードにおいてカメラ周囲の音を検知する音検知手段としても機能する。すなわち、本実施形態では、カメラ周囲の音を検知する音検知手段を、動画撮影時に音声を集音するマイク１４と兼用している。
【００２７】
次に、カメラ本体２の電気的な構成を図３に示すブロック図を参照しながら説明する。図３では、図１と同等部分を同一符号で示している。以下、各部について説明する。
【００２８】
音声処理部１５は、マイク１４で集音された音声を音圧信号に変換してカメラＣＰＵ４０に送信する。音圧信号は、音圧のレベルを表わす信号である。音圧のレベルとは、基準となる音に対してどれだけ大きい音であるかを音の強弱で示したものであり、デシベル（ｄＢ）単位で表わされる。
【００２９】
メモリ１６は、ＥＥＰＲＯＭ、ＲＯＭ、ＤＲＡＭなどの不図示の記憶媒体により構成されている。ＥＥＰＲＯＭは、カメラ１の電源がオフしても記憶した情報を保持する不揮発性メモリであり、ユーザ設定やカスタム設定などの入力情報が記憶される。ＲＯＭは、カメラ１の動作や制御に必要なプログラムのほか、このプログラムの実行に必要な初期値や設定値などが記憶される。ＤＲＡＭは、カメラ１の電源がオフしたときに記憶した情報が消去される揮発性メモリであり、画像データや後述する待機時間のほか、カメラＣＰＵ４０などが処理を行う際に必要なデータが一時的に記憶される。
【００３０】
また、図示していないが、カメラ１には、メモリカードＩ／Ｆ（インターフェース）部が設けられている。このメモリカードＩ／Ｆ部は、ＤＲＡＭに記憶されている画像データをメモリカードに記録し、またメモリカードに記録されている画像データを読み出す機能を備えた書き込み／読み出し装置である。このメモリカードＩ／Ｆ部のメモリカードスロットには、メモリカードが着脱自在に装着される。
【００３１】
レリーズボタン１８は、撮影者による操作入力を取得する操作入力手段の一つである。レリーズボタン１８が半押しされると、測光部３０による測光と測距センサ９による測距が行われ、露出値の演算及び焦点調節が行われる。また、レリーズボタン１８が全押しされると、ミラーユニット１０によるメインミラー１１及びサブミラー１２の回動、及び絞り機構１７とシャッタユニット６による露出制御が行われる。
【００３２】
電源回路１９は、不図示のバッテリ装置から出力された電力を、各部の動作状況に応じて供給する回路である。この電源回路１９による電力の供給はカメラＣＰＵ４０により制御されている。
【００３３】
操作部２５は、撮影者による操作入力を取得する操作入力手段であり、ダイアル、ボタン、レバー、スイッチなどで構成されている。図３に示す操作部２５は、これらを包括的に表わしたものであり、具体例については後述する。
【００３４】
表示パネル２６は、カメラ本体２の上面に設けられ、おもにシャッタスピード、絞り値、設定感度などの撮影条件に関する情報が表示される。
【００３５】
シーケンス制御部２７は、絞り機構１７、シャッタユニット６及びミラーユニット１０の動作タイミングを制御する回路である。このシーケンス制御部２７は。カメラＣＰＵ４０からの動作指示に従って上記各部に所定の駆動信号を出力している。
【００３６】
次に、カメラ１の外観とともに操作部２５の具体例について説明する。図５は、本実施形態のカメラ１を背面側から見たときの斜視図である。カメラ本体２の上面には、撮影モードなどを選択可能なモードダイアル３４、ポップアップ式の閃光装置（ストロボ）２８、表示パネル２６、レリーズボタン１８が配置されている。また、カメラ１を背面から見たときに、右側にはユーザが撮影時にカメラ１を保持する際に使用するグリップ２９が設けられている。
【００３７】
一方、カメラ１の背面であって、グリップ２９の近傍には、メインダイアル３５が配置されている。また、カメラ１の前面側であって、グリップ２９の近傍には、サブダイアル３６が配置されている。これらのダイアルは、おもに撮影モードの設定や、絞り値、シャッタスピード、露出補正値などを入力するためのダイアルである。撮影者は、例えばメインダイアル３５を操作することにより、撮影モードを静音モードに切り替えることができる。
【００３８】
さらに、カメラ１の背面には液晶モニタ８が配置されている。この液晶モニタ８の上部には、撮影者が接眼状態で被写体像を観察するファインダ２４が配置されている。また、液晶モニタ８の左側にはファンクションボタン３７が配置され、右側にはセレクタダイアル３８が配置されている。本実施形態のファンクションボタン３７は、静音モードにおいて、シャッタユニット６及びミラーユニット１０が停止している間に押されると、解除指示の操作入力となる。
【００３９】
セレクタダイアル３８は、上下左右の４方向と中央に図示しない電気接点を持つダイアル形のスイッチである。撮影者が上下左右に刻印されている矢印マーク３８ａを指で押すと、その押された矢印マーク３８ａの方向が選択方向として入力される。また、中央に配置されたＯＫボタン３８ｂが押下されると、その時点での選択内容で決定したことが入力される。このセレクタダイアル３８は、主に液晶モニタ８に表示された撮影条件などの変更操作や、メニュー項目、撮影済み画像の変更操作などに用いられる。本実施形態では、セレクタダイアル３８の操作により静音モード時の待機時間を任意に設定することができる。
【００４０】
例えば、液晶モニタ８に待機時間の設定画面を表示し、セレクタダイアル３８の上向き又は下向きの矢印マーク３８ａが押されたときには、押された回数に応じて数値を増減表示する。そして、ＯＫボタン３８ｂが押されたときに、その時点で入力されている数値を待機時間として設定する。
【００４１】
カメラＣＰＵ４０は、カメラ１全体の動作を制御する回路であり、マイクロプロセッサにより構成されている。以下、カメラＣＰＵ４０により実行される各種の機能について説明する。
【００４２】
カメラＣＰＵ４０は、レリーズボタン１８が半押しされると、測距センサ９で検出された被写体像のデフォーカス量に基づいてレンズ駆動量を演算する。このレンズ駆動量に応じて不図示のレンズ駆動用モータを駆動することにより、不図示のカップリング機構を介して、駆動力がレンズ鏡筒３の焦点調節機構に伝達されて焦点調節が行われる。なお、レンズ駆動量に応じた駆動信号をレンズ鏡筒３側の図示しないレンズＣＰＵへ送信することにより、レンズ鏡筒３のレンズ内モータにより焦点調節を行うものであってもよい。
【００４３】
また同時に、カメラＣＰＵ４０は、測光センサ３３による被写体光の測光値や、装着されているレンズ鏡筒３のレンズ種類、開放Ｆ値、焦点距離などのレンズ情報のほか、撮影者により設定された撮影モード、不図示の感度設定部から入力された撮影感度情報などに基づいて適正な露出値を演算する。そして、その露出値に応じた絞り値とシャッタスピード値を設定するとともに、後述する表示パネル２６などに絞り値とシャッタスピード値を表示させる。
【００４４】
また、カメラＣＰＵ４０は、レリーズボタン１８が半押しの状態から全押しされると、シーケンス制御部２７を介してミラーユニット１０を制御し、メインミラー１１及びサブミラー１２を定位置から退避位置まで回動させる（ミラーアップ）。同時に、シーケンス制御部２７を介して絞り機構１７を制御し、不図示の絞り制御レバーを作動させる。これにより、レンズ鏡筒３の絞込みレバーが作動して、絞り羽根が設定された絞り値に応じた位置まで絞り込まれる。この後、カメラＣＰＵ４０は、シャッタユニット６を制御して、撮像部７を遮光しているシャッタ羽根を駆動する。これにより、入射した被写体光による像が撮像部７で撮影されることになる。そして、シャッタ羽根が画面をすべて閉じることで撮影が終了する。ここまでが露光シーケンスの前半となる。
【００４５】
撮影が終了すると、カメラＣＰＵ４０は、シーケンス制御部２７を介してミラーユニット１０を制御し、メインミラー１１及びサブミラー１２を定位置まで回動させる（ミラーダウン）。同時に、シーケンス制御部２７を介してシャッタユニット６を制御し、シャッタチャージを行う。さらに、シーケンス制御部２７を介して絞り機構１７を制御し、不図示の絞り制御レバーを初期位置まで復帰させる。これにより絞り羽根は絞り開放状態となる。撮像部７による撮影が終了してから、ここまでが露光シーケンスの後半となる。この露光シーケンスの後半では、ミラーダウンやシャッタチャージなどの動作に伴う音が発生することになる。
【００４６】
上述した露光シーケンス（前半、後半）は、通常の撮影モードが設定されているときの動作を時系列に表わしている。本実施形態のカメラ１では、静音モードが設定されたときに、上述した露光シーケンスを連続して実行せず、露光シーケンスの前半が終了した時点で露光シーケンスを一旦停止し、所定の条件が揃った時点で露光シーケンスの後半を実行するようにしている。このような露光シーケンスの実行を制御する制御手段として、カメラＣＰＵ４０は以下のような処理を実行している。
【００４７】
カメラＣＰＵ４０は、撮像部７による撮影が終了した後、音声処理部１５から送信された音圧信号に基づいて音圧のレベルを判定している。そして、カメラＣＰＵ４０は、音圧のレベルが閾値に達しない場合は、メインミラー１１及びサブミラー１２が退避位置から定位置に回動しないようにミラーユニット１０の動作を停止させる処理を実行する。また同時に、シャッタチャージが行われないようにシャッタユニット６の動作を停止させる処理を実行する。このように、撮影が終了した後に、周囲の音が小さい場合には、ミラーダウンなどの動作に伴う音が目立ちやすいため、露出シーケンスの後半をすぐに実行しないようにしている。また、カメラＣＰＵ４０は、ミラーユニット１０やシャッタユニット６の動作を停止させた場合は、撮影者がレリーズボタン１８から指を離してもミラーユニット１０やシャッタユニット６の動作を開始しないようにしている。
【００４８】
一方、カメラＣＰＵ４０は、音圧のレベルが閾値に達している場合は、メインミラー１１及びサブミラー１２を退避位置から定位置に回動するようにミラーユニット１０を動作させる処理を実行する。また同時に、シャッタチャージが行われるようにシャッタユニット６を動作させる処理を実行する。このように、撮影が終了した後に、カメラ１の周囲にある程度の音が発生している場合には、ミラーダウンなどの動作に伴う音が目立たないため、以下のような条件下で露出シーケンスの後半を実行するようにしている。
【００４９】
すなわち、音圧のレベルが閾値に達している場合に、カメラＣＰＵ４０は、その音圧のレベルに応じて、ミラーユニット１０及びシャッタユニット６の動作を開始するまでの待機時間を設定する処理を実行する。なお、カメラＣＰＵ４０は、時間を計測する時間計測手段としての機能を備えている。待機時間の計測は、カメラＣＰＵ４０において、第１タイマ及び第２タイマの処理として実行される。
【００５０】
ここで、音圧のレベルに応じた待機時間について説明する。図４は、音圧のレベルと待機時間との関係を示す説明図である。本実施形態では、音圧のレベルをレベル１〜３の３段階に設定している。図４に示すように、音圧がレベル３以上に大きければ、時間ｔ１（０．５秒）を待機時間とする。また、音圧がレベル２以上〜レベル３未満であれば、時間ｔ２（１０秒）を待機時間とする。さらに、音圧がレベル１以上〜レベル２未満であれば、時間ｔ３（６０秒）を待機時間とする。ここで、レベル１未満は、音圧のレベルが閾値に達していないレベルとして判定される。カメラＣＰＵ４０は、上記のようにして音圧のレベルに応じて待機時間を設定し、この待機時間に関する情報をメモリ１６のＤＲＡＭに記憶する。また、カメラＣＰＵ４０は、後述するセレクタダイアル３８などの操作入力手段による時間設定の操作入力を取得したときは、その時間を待機時間として設定する処理を実行する。なお、音圧のレベルはさらに細かく設定されていてもよいし、レベル３以上でなければ、音圧のレベルが閾値に達していない（レベル１未満）と判定するようにしてもよい。
【００５１】
また、カメラＣＰＵ４０は、音圧のレベルが閾値に達していない場合に、ミラーユニット１０及びシャッタユニット６の動作を停止させたときは、ミラーユニット１０及びシャッタユニット６の動作が停止中であることを知らせるメッセージを液晶モニタ８（又は表示パネル２６）に表示させる処理を実行する。そして、待機時間が経過するなどの事象が発生することにより、ミラーユニット１０及びシャッタユニット６の動作を開始したときには、上記メッセージの表示を終了する処理を実行する。
【００５２】
また、カメラＣＰＵ４０は、ミラーユニット１０及びシャッタユニット６の動作を停止させている間に、ファンクションボタン３７により解除指示の操作入力があった場合には、その時点でシャッタユニット６及びミラーユニット１０の動作を開始する処理を実行する。なお、解除指示の操作入力はファンクションボタン３７に限らず、専用のボタンを設けてもよいし、他のボタンと兼用させてもよい。
【００５３】
次に、第１実施形態のカメラ１において、静音モードが設定されたときの撮像から記録までの一連の処理手順を図６のフローチャートにより説明する。このフローチャートの処理は、撮影モードとして静音モードが設定され、撮影者がレリーズボタン１８を半押しすることによりスタートする。
【００５４】
ステップＳ１０１において、カメラＣＰＵ４０は、測光処理として、測光部３０で検出された測光値を取得し、その測光値などに基づいて露出値を演算する。また、測距処理として、測距センサ９で検出されたデフォーカス量に基づいてレンズ駆動量を演算する。
【００５５】
ステップＳ１０２において、カメラＣＰＵ４０は、演算されたレンズ駆動量に基づいて不図示のレンズ駆動用モータを駆動することにより、焦点調節のためのレンズ駆動を実行する。ステップＳ１０３において、カメラＣＰＵ４０は、レリーズボタン１８が全押しされたかどうかを判定する。この判定でＮＯであれば、ステップＳ１０１の先頭に戻る。またステップＳ１０３の判定でＹＥＳであれば、ステップＳ１０４へ移行する。ステップＳ１０４において、カメラＣＰＵ４０は、シーケンス制御部２７を介してミラーユニット１０を制御し、メインミラー１１及びサブミラー１２を定位置から退避位置まで回動させる（ミラーアップ）。同時に、カメラＣＰＵ４０は、シーケンス制御部２７を介して絞り機構１７を制御し、不図示の絞り制御レバーを作動させる。これにより、レンズ鏡筒３の絞り羽根が設定された絞り値に応じた位置まで絞り込まれる。
【００５６】
ステップＳ１０５において、カメラＣＰＵ４０は、シャッタユニット６を制御して、撮像部７を遮光しているシャッタ羽根の駆動を開始する（シャッタ走行開始）。続いて、ステップＳ１０６において、カメラＣＰＵ４０は、入射した被写体光による像を撮像部７で撮像する。そして、ステップＳ１０７において、カメラＣＰＵ４０は、シャッタユニット６を制御して、シャッタ羽根の駆動を停止する（シャッタ走行終了）。同時に、シーケンス制御部２７を介して絞り機構１７を制御し、不図示の絞り制御レバーを初期位置まで復帰させる。この後、撮像により得られた画像信号は撮像部７から不図示の画像処理部に送られ画像データが生成される。この画像データは、さらに不図示のメモリカードＩ／Ｆ部を介してメモリカードに記録される。通常の撮影モードでは、この後にすぐに露光シーケンスの後半が実行されるが、本実施形態の静音モードでは、ステップＳ１０７の処理が終了すると、後述するようにマイク１４による音の検知が開始される。
【００５７】
ステップＳ１０８において、カメラＣＰＵ４０は、マイク１４による音の検知を開始し、ステップＳ１０９において、不図示の第１タイマによる時間計測を開始する。そして、ステップＳ１１０において、カメラＣＰＵ４０は、マイク１４により音が検知されたかどうかを判定する。ここでは、先に説明したように、音圧のレベルが閾値に達していない場合には音の検知がなかったと判定し、音圧のレベルが閾値に達している場合に音が検知されたと判定する。このステップＳ１１０の判定でＹＥＳであれば、ステップＳ１１１へ移行し、カメラＣＰＵ４０は、検知された音の音圧がレベル３以上かどうかを判定する。
【００５８】
ステップＳ１１１の判定でＹＥＳであれば、カメラＣＰＵ４０は、ステップＳ１１２へ移行し、不図示の第２タイマの時間計測により０．５秒経過するまで待機する。ここで、０．５秒経過したと判定した場合、ステップＳ１１３において、カメラＣＰＵ４０は、ステップＳ１０９で開始した不図示の第１タイマによる時間計測をリセットする。続いて、ステップＳ１１４において、カメラＣＰＵ４０は、シーケンス制御部２７を介してミラーユニット１０を制御し、メインミラー１１及びサブミラー１２を退避位置から定位置まで回動させる（ミラーダウン）。同時に、カメラＣＰＵ４０は、シーケンス制御部２７を介してシャッタユニット６を制御し、シャッタチャージを行う。また、カメラＣＰＵ４０は、シーケンス制御部２７を介して絞り機構１７を制御し、不図示の絞り制御レバーを初期位置まで復帰させて、レンズ鏡筒３の絞り羽根を開放状態とする。このステップＳ１１４が終了すると、次の操作入力があるまで待機する。このように、撮影後における周囲の音がレベル３以上に大きい場合には、ミラーダウンやシャッタチャージなどの動作に伴う音が目立たないため、０．５秒後にステップＳ１１４の処理が実行される。なお、周囲の音がレベル３以上に大きい場合には、待機時間を設けずに、すぐにステップＳ１１４の処理を実行するようにしてもよい。
【００５９】
また、ステップＳ１１１の判定でＮＯであれば、ステップＳ１１５において、カメラＣＰＵ４０は、検知された音の音圧がレベル２以上〜レベル３未満かどうかを判定する。この判定でＹＥＳであれば、カメラＣＰＵ４０は、ステップＳ１１６へ移行し、不図示の第２タイマの時間計測により１０秒経過するまで待機する。そして、１０秒経過した後にステップＳ１１３へ移行する。また、ステップＳ１１５の判定でＮＯであれば、ステップＳ１１７において、カメラＣＰＵ４０は、検知された音の音圧がレベル１以上〜レベル２未満かどうかを判定する。この判定でＹＥＳであれば、カメラＣＰＵ４０は、ステップＳ１１８へ移行し、不図示の第２タイマの時間計測により６０秒経過するまで待機する。そして、６０秒経過した後にステップＳ１１３へ移行する。
【００６０】
このように、撮影後における周囲の音がレベル１〜２程度である場合には、１０〜６０秒程度の待機時間の後にミラーダウンとシャッタチャージが行われる。この待機時間の間、撮影者は例えばカメラ１を衣服で覆ったり、場所を移動したりするなどの行動をとることができる。なお、ステップＳ１１７の判定でＮＯであれば、ステップＳ１１０に戻る。
【００６１】
また、ステップ１１０の判定でＮＯであれば、カメラＣＰＵ４０は、ステップＳ１１９へ移行し、ミラーユニット１０及びシャッタユニット６の動作が停止中であることを知らせるメッセージを液晶モニタ８に表示させる。次に、ステップＳ１２０において、カメラＣＰＵ４０は、ファンクションボタン３７の操作入力があるかどうかを判定する。この判定でＮＯであれば、ステップＳ１２１へ移行し、第１タイマによる時間計測が１２０秒を経過したかどうかを判定する。この判定でＮＯであれば、ステップＳ１１０に戻る。このように、音を検知していない状態でファンクションボタン３７の操作入力がない場合は、１２０秒待機することになる。
【００６２】
一方、ステップＳ１２０の判定でＹＥＳの場合、すなわちファンクションボタン３７の操作入力があったとき、又はステップＳ１２１の判定でＹＥＳの場合、すなわち第１タイマの時間計測が１２０秒を経過した場合は、ステップＳ１２２へ移行し、液晶モニタ８でのメッセージの表示を終了する。この後、カメラＣＰＵ４０は、ステップＳ１１３へ移行する。このように、撮影後における周囲の音がレベル１未満の低いレベルである場合には、１２０秒の待機時間の後にミラーダウンやシャッタチャージなどが行われる。この待機時間の間、撮影者は例えばカメラ１を衣服で覆ったり、場所を移動したりするなどの行動をとることができる。また、待機時間の間にファンクションボタン３７の操作入力があれば、その時点でミラーダウンやシャッタチャージなどが行われる。
【００６３】
以上、第１実施形態によれば、以下の効果を奏する。
（１）撮影後にカメラ１の周囲の音が大きい場合にのみミラーダウンやシャッタチャージなどが行われるので、これらの動作に伴って発生する音は目立たなくなり、撮影者は周囲に気を使うことなく撮影を行うことができる。したがって、撮影後のミラーダウンなどの動作に伴う音を、撮影者に負担をかけることなしに目立たなくすることができる。
（２）撮影後にカメラ１の周囲の音が閾値に達していても、比較的小さい場合には、所定の待機時間後にミラーダウンやシャッタチャージなどが行われるため、待機時間の間に、撮影者は例えばカメラ１を衣服で覆ったり、場所を移動したりするなどの行動をとることができる。
（３）音圧のレベルに応じて待機時間に差を持たせているため、周囲の状況に応じて適切な待機時間を設定することができる。例えば、周囲の音圧のレベルが中程度のときには、撮影者はカメラ１を衣服で覆うだけでも十分に動作音を目立たなくすることができるので、待機時間を１０秒とすることにより、次の撮影までの待ち時間を必要最小限とすることができる。また、周囲の音圧のレベルが小さいときには、撮影者はカメラ１を持ったまま場所を移動することが考えられるため、待機時間を６０秒以上とすることにより撮影者が場所を移動するのに必要な十分な時間を確保することができる。
（４）ミラーユニット１０とシャッタユニット６の動作を停止させている間は、撮影者がレリーズボタン１８から指を離してもミラーダウンやシャッタチャージなどは行われないので、従来のように撮影者がうっかりレリーズボタンから指を離してしまい、不用意に音を発生させてしまうミスを確実に防止することができる。
（５）撮影者の操作入力によって待機時間を任意に変更することができるので、撮影者は撮影状況や撮影スタイルなどに合わせて所望の待機時間を設定することができる。
（６）音が検知されない場合（音圧のレベルが閾値に達していない場合）は、ミラーユニット１０とシャッタユニット６の動作が停止中であることを知らせるメッセージが液晶モニタ８に表示されるので、撮影者は、ミラーダウンやシャッタチャージなどが行われないことを容易に理解することができる。これによれば、撮影者はカメラが故障してミラーダウンやシャッタチャージなどが行われないと誤解することがないので、安心して撮影に集中することができる。
（７）音が検知されず、ミラーユニット１０とシャッタユニット６の動作が停止している間にファンクションボタン３７の操作入力があったときは、その時点でミラーユニット１０とシャッタユニット６の動作を開始するようにしたので、撮影者は自己の判断でこれらの動作を行わせることができる。
（８）カメラ周囲の音を検知する音検知手段として、動画撮影時に音声を集音するマイク１４を用いているため、動画撮影機能を備えたカメラであれば、別途マイクを設置する必要がなく、コスト増を抑えることができる。
【００６４】
以上説明した第１実施形態に限定されることなく、本発明は以下に示すような変形形態として、種々の変形や変更が可能であり、それらも本発明の範囲内である。
（１）音が検知されない場合だけでなく、音が検知された場合であっても、ミラーユニット１０やシャッタユニット６の動作が停止中であることを知らせるメッセージを液晶モニタ８に表示するようにしてもよい。
（２）音が検知されないときだけでなく、音が検知されたときの待機時間（本実施形態では１０秒又は６０秒）中にファンクションボタン３７の操作入力があったときは、その時点でミラーダウンやシャッタチャージなどを行うようにしてもよい。
（３）ファンクションボタン３７の機能は、他のボタンなどで実行するようにしてもよい。例えば、ミラーユニット１０やシャッタユニット６の動作が停止している間に、再びレリーズボタン１８を押すこと（半押し又は全押し）でミラーダウンとシャッタチャージが行われるようにしてもよい。
（４）音圧のレベルが３未満の場合には、待機時間（本実施形態では１０秒又は６０秒）が経過した後に再度、音圧のレベルを判定するようにしてもよい。
（５）音が検知されない場合には、待機時間（本実施形態では１２０秒）を設けずに、ファンクションボタン３７の操作入力があるまではミラーダウンやシャッタチャージなどを行なわないようにしてもよい。
（第２実施形態）
【００６５】
次に、本発明の第２実施形態について説明する。この第２実施形態に係わるカメラ（以下、カメラ１Ａという）の基本的な構成は第１実施形態と同じであるため、図示による説明を省略し、相違する部分についてのみ説明する。
【００６６】
本実施形態のカメラＣＰＵ（以下、カメラＣＰＵ４０Ａという）は、静音モードが設定された場合は、撮像部７による撮影が終了した後、時間計測手段である不図示のタイマ（第１実施形態の第１又は第２タイマ）による時間計測を開始し、この計測された時間が待機時間に達するまで、メインミラー１１及びサブミラー１２が退避位置から定位置に回動しないようにミラーユニット１０の動作を停止させる処理を実行する。また同時に、シャッタチャージが行われないようにシャッタユニット６の動作を停止させる処理を実行する。すなわち、撮影者は周囲の音が小さく、ミラーダウンなどの動作に伴う音が目立ちやすい場合には、あらかじめ静音モードに設定しておくことにより、撮影が終了した後に、露出シーケンスの後半がすぐに実行されないようにすることができる。
【００６７】
また、カメラＣＰＵ４０Ａは、ミラーユニット１０やシャッタユニット６の動作を停止させた場合は、撮影者がレリーズボタン１８から指を離してもミラーユニット１０やシャッタユニット６の動作を開始しないようにしている。一方で、カメラＣＰＵ４０Ａは、ミラーユニット１０やシャッタユニット６の動作を停止させている間に、レリーズボタン１８が全押しされることにより解除指示の操作入力があった場合は、その時点でシャッタユニット６及びミラーユニット１０の動作を開始する処理を実行する。なお、解除指示の操作入力はレリーズボタン１８の全押しに限らず、半押しでもよい。或いは、解除指示のための専用のボタンを設けてもよいし、他のボタンと兼用させてもよい。
【００６８】
さらに、カメラＣＰＵ４０Ａは、静音モードにおいて、撮像部７による撮影が終了した後、不図示のタイマが時間計測している、待機時間までの積算時間又は待機時間からの減算時間（残り時間）を液晶モニタ８（又は表示パネル２６）に表示させる処理を実行する。例えば、待機時間が１２０秒に設定されているとすると、待機時間までの積算時間で表示した場合は「１秒」、「２秒」、「３秒」・・・「１２０」秒となり、待機時間からの減算時間で表示した場合は「１２０秒」、「１１９秒」、「１１８秒」・・・「１秒」となる。
【００６９】
また、カメラＣＰＵ４０Ａは、セレクタダイアル３８などの操作入力手段による時間設定の操作入力を取得したときは、その時間を待機時間として設定する処理を実行する。例えば、液晶モニタ８に待機時間の設定画面を表示し、セレクタダイアル３８の上向き又は下向きの矢印マーク３８ａが押されたときには、押された回数に応じて数値を増減表示する。そして、ＯＫボタン３８ｂが押されたときに、その時点で入力されている数値を待機時間として設定する。
【００７０】
または、待機時間の設定画面に「２秒」、「５秒」、「３０秒」、「２分」、「５分」などの遅延時間の候補を表示し、セレクタダイアル３８の右向き又は左向きの矢印マーク３８ａが押されたときにカーソル又は点灯枠を移動する。そして、ＯＫボタン３８ｂが押されたときには、その時点でカーソル又は点灯枠が示している数値を待機時間として設定するようにしてもよい。
【００７１】
また、カメラＣＰＵ４０Ａは、静音モードにおいて、撮像部７による撮影が終了した後、ファンクションボタン３７が押されることにより時間再設定の操作入力があった場合には、タイマでの時間計測をリセットしたうえで、再び時間計測を開始する処理を実行する。例えば、待機時間が１２０秒に設定されているときに、減算時間の表示が「５秒」であったとすると、その時点でファンクションボタン３７が押されると、再び「１２０秒」の表示から減算時間の時間計測が開始される。なお、時間再設定の操作入力はファンクションボタン３７に限らず、専用のボタンを設けてもよいし、他のボタンと兼用させてもよい。
【００７２】
次に、第２実施形態のカメラ１Ａにおいて、静音モードが設定されたときの撮像から記録までの一連の処理手順を図７のフローチャートにより説明する。このフローチャートの処理は、撮影モードとして静音モードが設定され、撮影者がレリーズボタン１８を半押しすることによりスタートする。
【００７３】
図７のフローチャートにおいて、ステップＳ２０１〜ステップＳ２０７までの処理、すなわち露光シーケンスの前半の処理は、図６のステップＳ１０１〜Ｓ１０７と同じであるため説明を省略する。
【００７４】
ステップＳ２０８において、カメラＣＰＵ４０Ａは、不図示のタイマによる時間計測を開始する。ステップＳ２０９において、カメラＣＰＵ４０Ａは、計測時間（積算時間又は減算時間）を液晶モニタ８に表示させる。そして、ステップＳ２１０において、カメラＣＰＵ４０Ａは、時間計測が待機時間に達したかどうかを判定する。この判定でＹＥＳであれば、ステップＳ２１１へ移行し、液晶モニタ８での計測時間の表示を終了する。続いて、ステップＳ２１２において、カメラＣＰＵ４０Ａは、ステップＳ２０８で開始した不図示のタイマによる時間計測をリセットする。
【００７５】
さらに、ステップＳ２１３において、カメラＣＰＵ４０Ａは、シーケンス制御部２７を介してミラーユニット１０を制御し、メインミラー１１及びサブミラー１２を退避位置から定位置まで回動させる（ミラーダウン）。同時に、カメラＣＰＵ４０Ａは、シーケンス制御部２７を介してシャッタユニット６を制御し、シャッタチャージを行う。また、カメラＣＰＵ４０Ａは、シーケンス制御部２７を介して絞り機構１７を制御し、不図示の絞り制御レバーを初期位置まで復帰させて、レンズ鏡筒３の絞り羽根を開放状態とする。このステップＳ２１３が終了すると、次の操作入力があるまで待機する。
【００７６】
一方、ステップＳ２１０の判定でＮＯであれば、カメラＣＰＵ４０Ａは、ステップＳ２１４へ移行し、レリーズボタン１８が全押しされたかを判定する。この判定でＹＥＳであれば、ステップＳ２１１へ移行する。一方、ステップＳ２１４の判定でＮＯであれば、続いて、ステップＳ２１５へ移行して、ファンクションボタン３７の操作入力があるかどうかを判定する。この判定でＹＥＳであれば、ステップＳ２１６へ移行し、カメラＣＰＵ４０ＡはステップＳ２０８で開始した不図示のタイマによる時間計測をリセットし、ステップＳ２０８に戻る。また、ステップＳ２１５の判定でＮＯであれば、ステップＳ２０９に戻り、待機時間に達するまでステップＳ２１４、テップＳ２１５の判定を繰り返し実行する。
【００７７】
本実施形態では、撮像後にすぐにミラーダウンやシャッタチャージなどが開始されることがなく、所定の待機時間が経過した後にミラーダウンやシャッタチャージなどが行われる。このため、周囲が静かな状況であれば、待機時間の間に撮影者は例えばカメラ１を衣服で覆ったり、場所を移動したりするなどの行動をとることができる。また、待機時間の間にレリーズボタン１８が全押しされることにより解除指示の操作入力があれば、その時点でミラーダウンやシャッタチャージなどが行われる。また、待機時間の間にファンクションボタン３７の操作入力があれば、その時点での時間計測がリセットされ、再び待機時間の時間計測が開始されることになる。
【００７８】
以上、第２実施形態によれば、以下の効果を奏する。
（１）撮影が終了した後、所定の待機時間が経過した後にミラーダウンやシャッタチャージなどが行われるため、周囲の音が小さい場合には、待機時間の間に、撮影者は例えばカメラ１を衣服で覆ったり、場所を移動したりするなどの行動をとることができる。したがって、撮影後のミラーダウンなどの動作に伴う音を、撮影者に負担をかけることなしに目立たなくすることができる。
（２）ミラーユニット１０やシャッタユニット６などの動作を停止させている間は、撮影者がレリーズボタン１８から指を離してもミラーダウンやシャッタチャージなどは行われないので、従来のように撮影者がうっかりレリーズボタンから指を離してしまい、不用意に音を発生させてしまうミスを確実に防止することができる。
（３）撮影者の操作入力によって待機時間を任意に変更することができるので、撮影者は撮影状況や撮影スタイルなどに合わせて所望の待機時間を設定することができる。
（４）待機時間中はタイマでの計測時間が液晶モニタ８に表示されるので、撮影者は、ミラーダウンやシャッタチャージなどの動作が行われるまでの時間を正確に把握することができる。
（５）待機時間中にレリーズボタン１８が全押しされることにより解除指示の操作入力があった場合は、その時点でミラーユニット１０とシャッタユニット６の動作を開始するようにしたので、撮影者は自己の判断でこれらの動作を行わせることができる。
（６）待機時間中にファンクションボタン３７が押されることにより時間再設定の操作入力があった場合は、タイマでの時間計測がリセットされ、再び待機時間の時間計測が開始されるので、撮影者は周囲の状況に応じて待機時間をさらに延ばすことができる。
【００７９】
以上説明した第２実施形態に限定されることなく、本発明は以下に示すような変形形態として、種々の変形や変更が可能であり、それらも本発明の範囲内である。
（１）タイマでの計測時間を液晶モニタ８に表示させるだけでなく、ミラーユニット１０及びシャッタユニット６の動作が停止中であることを知らせるメッセージを液晶モニタ８に表示させるようにしてもよい。
（２）第１実施形態の制御を「静音モード１」、第２実施形態の制御を「静音モード２」とし、これら２つの静音モードがモードダイアル３４などで切り替えられるようにしてもよい。
なお、上記各実施形態及び変形形態では、撮像装置としてデジタル一眼レフカメラを例に説明したが、本発明に係わる撮像装置は、例えば、ミラーユニットを備えていないカメラ等にも適用することができる。
【００８０】
なお、上記各実施形態及び変形形態は適宜に組み合わせて用いることができるが、実施形態の構成は図示と説明により明らかであるため、詳細な説明を省略する。さらに、本発明は以上説明した実施形態によって限定されることはない。
【符号の説明】
【００８１】
１，１Ａ：カメラ、２：カメラ本体、３：レンズ鏡筒、６：シャッタユニット、７：撮像部、８：液晶モニタ、１１：メインミラー、１２：サブミラー、１４：マイク、１６：メモリ、２６：表示パネル、３７：ファンクションボタン、３８：セレクタダイアル、４０，４０Ａ：カメラＣＰＵ
【図１】
2010197506.tif 000003
【図２】
2010197506.tif 000004
【図３】
2010197506.tif 000005
【図４】
2010197506.tif 000006
【図５】
2010197506.tif 000007
【図６】
2010197506.tif 000008
【図７】
2010197506.tif 000009